(57)【要約】  【課題】ドアを所定の開放角度で保持できるように製作されたドア用ヒンジにおいて、その開放角度を適宜調整できるようにする。【解決手段】第２筒体１８は、第１筒体１４に対して相対的に回動可能とされている。第２筒体には、シャフト２０が固定される。第１筒体１４には、シャフトが所定角度に回動したときに、同シャフトの回動位置を保持するシャフト回動位置保持手段２４が設けられる。シャフトに第２筒体を固定する手段２２は、シャフトに対する第２筒体１８の同シャフトの軸線の周りでの角度位置を調節する角度位置調節手段５０−５８を有する。【選択図】  図２
2005127013.tif 000002
【特許請求の範囲】
【請求項１】
第１羽根が固定された第１筒体と、
第２羽根が固定され、第１筒体と軸線方向で整合された第２筒体と、
第１及び第２筒体に同心状に配置されたシャフトと、
該シャフトを第２筒体に固定するための固定手段と、
第１筒体に取り付けられ、上記第２筒体に固定された上記シャフトが、該第２筒体の回動に伴い、第１筒体に対して所定角度位置に回転したときに、該第１筒体に対するシャフトの同角度位置に保持するためのシャフト角度位置保持手段と、
を有し、
上記固定手段は、
上記シャフトに対する第２筒体の同シャフトの軸線の周りでの角度位置を調節する角度位置調節手段を有する
ことを特徴とするドア用ヒンジ。
【請求項２】
上記角度位置調節手段が、
上記シャフトを囲むようにして上記第２筒体内に固定され、該第２筒体の円周方向に面する第１傾斜面を備える環状部材と、
上記シャフトに固定された支持部材と、
該支持部材に取り付けられ、上記軸線方向での位置を調節可能とされた調節部材であって、上記第１傾斜面当接部を有する調節部材と
を有し、
上記調節部材の上記軸線方向での位置を調節し、該調節部材の上記第１傾斜面当接部に上記第１傾斜面を当接するよう上記第２筒体を上記軸線の周りで回動することにより、該シャフトの周りでの上記第２筒体の角度位置を決定するようにした
ことを特徴とする請求項１に記載のドア用ヒンジ。
【請求項３】
上記固定手段は、上記支持部材に上記軸線方向で可動に取り付けられた固定部材を有し、
上記環状部材が、上記第２筒体の円周方向における上記第１傾斜面とは反対方向に面する第２傾斜面を有し、
上記調節部材の上記第１傾斜面当接部に当接した上記環状部材の上記第２傾斜面に、上記固定部材を上記軸線方向で押圧することにより、該環状部材を上記調節部材との間で固定保持するようにした
ことを特徴とする請求項２に規定のドア用ヒンジ。
【請求項４】
上記支持部材が上記シャフトの周囲に固定された環状の部材とされ、
上記環状部材の上記第１及び第２傾斜面は、当該環状部材の上記支持部材に面する側に形成され、
上記調節部材及び上記固定部材が、該支持部材に形成されたネジ穴にネジ係合され、夫々の軸線の周りで回動することにより、同軸線方向で変位するようにされたネジ部材、及び、該ネジ部材の先端に当接する球体とから構成され、該球体が上記第１及び第２傾斜面に当接するようにされている
ことを特徴とする請求項３に記載のドア用ヒンジ。
【発明の詳細な説明】
【技術分野】
【０００１】
本発明は、ドア用ヒンジに関し、特に、ドアを所定角度位置に開いた状態に保持できるようにした機構を備えるドア用ヒンジに関する。
【背景技術】
【０００２】
ドアを開かれた所定位置に保持するため機構を備えたドア用ヒンジは種々開発されている（例えば、特許文献１）
【０００３】
【特許文献１】実用新案登録２５５８８７５
【発明の開示】
【発明が解決しようとする課題】
【０００４】
そのようなドア用ヒンジは、製作する段階で、ドアを所定の開放角度（例えば９０°の位置）で保持できるように設定するものであるが、実際にドアの設定を行った場合に、当該ドアの開放保持角度を製作時の設定通りに正確にすることは難しい。従って、例えば、観音開きのドアの場合に、両方のドアの開放保持位置が相互に異なり、外観上、好ましくないことが生じる場合もある。また、ドア設定場所によっては、障害物等のために、ドア用ヒンジの製作時点において設定された開放保持角度にドアを保持することができない場合も生じ得る。
本発明は、このような点に鑑み、ドアを所定の開放角度で保持できるように製作されたドア用ヒンジにおいて、その開放角度を適宜調整できるようにすることを目的とする。
【課題を解決するための手段】
【０００５】
すなわち、本発明は、
第１羽根が固定された第１筒体と、
第２羽根が固定され、第１筒体と軸線方向で整合された第２筒体と、
第１及び第２筒体に同心状に配置されたシャフトと、
該シャフトに第２筒体を固定するための固定手段と、
第１筒体に取り付けられ、上記第２筒体に固定された上記シャフトが、該第２筒体の回動に伴い、第１筒体に対して所定角度位置に回転したときに、該シャフトを同角度位置に保持するためのシャフト角度位置保持手段と、
を有し、
上記固定手段は、
上記シャフトに対する第２筒体の同シャフトの軸線の周りでの角度位置を調節する角度位置調節手段と、を有する
ことを特徴とするドア用ヒンジを提供する。
このドア用ヒンジにおいては、当該ヒンジにより取り付けたドアが、予め設定した開放角度位置で保持されない場合に、シャフトに対する第２筒状体の角度位置を調節することにより、シャフトが固定されている第１筒体に対する相対的角度位置を調節することにより、設定された開放角度位置で当該ドアが保持されるようにすることができる。
【０００６】
角度位置調節手段は、具体的には、
上記シャフトを囲むようにして上記第２筒体内に固定され、該第２筒体の円周方向に面する第１傾斜面を備える環状部材と、
上記シャフトに固定された支持部材と、
該支持部材に取り付けられ、上記軸線方向での位置を調節可能とされた調節部材であって、上記第１傾斜面当接部を有する調節部材（以下に述べる実施形態においては、角度調節部材５６、球体６２とにより構成）と
を有し、
上記調節部材の上記軸線方向での位置を調節し、該調節部材の上記第１傾斜面当接部に上記第１傾斜面を当接するよう上記第２筒体を上記軸線の周りで回動することにより、該シャフトの周りでの上記第２筒体の角度位置を決定するようにすることができる。
【０００７】
上記固定手段は、上記支持部材に可動に取り付けられ、上記角度位置が調節された環状部材に係合して、該環状部材を上記軸線の周りで固定する固定部材を有するようにすることができる。
具体的には、該固定部材が、上記軸線方向での可動とされ、
上記環状部材が、上記第２筒体の円周方向における上記第１傾斜面とは反対方向に面する第２傾斜面を有し、
上記調節部材の上記第１傾斜面当接部に上記第１傾斜面を当接した上記環状部材の上記第２傾斜面に、上記固定部材を上記軸線方向で押圧することにより、上記調節部材との間で上記環状部材を固定保持するようにすることができる。
【０００８】
より具体的には、上記支持部材を上記シャフトの周囲に固定された環状の部材とし、
上記調節部材及び上記固定部材が、該支持部材に形成されたネジ穴にネジ係合される雄ネジを有し、夫々の軸線の周りで回転することにより、同軸線方向で変位するようにし、
上記環状部材の上記第１及び第２傾斜面を、同環状部材の上記支持部材に面する側に形成するようにすることができる。
【発明を実施するための最良の形態】
【０００９】
以下、本発明に係る、ドアの開放保持位置を調節可能としたドア用ヒンジを、添付図面に基づき説明する。
図１に示すように、本発明に係るドア用ヒンジ１０は、ドア枠（図示せず）に取り付けられる第１羽根１２が固定された第１筒体１４と、ドア(図示せず)に固定される第２羽根１６が固定された第２筒体１８と、第１及び第２筒体１４，１８に同心状に配置されたシャフト２０と、該シャフトを第２筒体１８に固定するための固定手段２２と、所定開放角度位置に開かれたドアを同角度位置に保持するためのシャフト角度位置保持手段２４とを有する。
【００１０】
図４及び図５は、シャフト角度位置保持手段２４の横断面図であり、図４はドアが閉止位置にあるときの状態、図５はドアが図４の位置から９０°反時計方向に回動されたときの状態を示している。
すなわち、図４において、シャフト２０を中心にして、半径方向外側にある断面が環状の部材３０は、図１に示すように、第１筒体１４と第２筒体１６との間に設定された中間筒体であり、該中間筒体３０に対し、第１筒体１４はスプライン結合Ｓ(図４)されて固定されており、第２筒体１８はその軸線を中心に回動可能に取り付けられている。図４において、該中間筒体３０とシャフト２０との間にある断面円形の部材３４は、シャフト２０と平行に延び、同シャフトの直径方向で相互に反対側にある一対のローラであり、断面円弧状の部材３６は、中間筒体３０及びシャフト２０に対して円周方向で相対的に摺動可能とされ、（図示しない）バネにより時計方向に付勢されている一対のローラ保持体である。
【００１１】
シャフト２０の外周面２０−１には、直径方向で反対側にある大きな第１円弧状凹部３８、該第１円弧状凹部の時計方向側の近接した位置にあり相互に直径方向で反対側にある一対の小さな第２円弧状凹部４０、第１円弧状凹部３８の反時計方向側の近接した位置にあり相互に直径方向で反対側にある一対の小さな第３円弧状凹部４２とが形成されている。
また、中間筒体３０の内周面３０−１には、直径方向で対向する位置にある一対のローラ収容凹部４４及びローラガイド凹部４６が形成されている。
【００１２】
図４のドア閉止状態から、ドアが同図で見て反時計方向に回動されると、第１円弧状凹部３８に係合しているローラ３４は、シャフト２０とともに反時計方向に回動され、図４の状態から約３０度回動した時点で中間筒体３０の内周面に形成されたローラ収納凹部４４内に嵌合され、第１円弧状凹部３８から半径方向外側に出て、シャフト２０が続けて反時計方向に回動するのを許容する。このとき、ローラ３４は、ローラ保持部材３６によって反時計方向に付勢され、図示の位置に保持されている。第１円弧状凹部３８が図４に示す最初の位置から、約９０°反時計方向に回動して図５に示す状態になると、同シャフト２０の外周面２０−１に形成されている第２円弧状凹部４０がローラ３４に係合し、当該シャフト２０の回転が止められる。
このようにして、シャフト２０は回動の最初の時点から約９０°の開放回動位置でローラ３４によって捉えられて同位置に固定保持されることになる。
【００１３】
本件発明に係るこのようなドア用ヒンジは、次の点に特徴を有する。
すなわち、図１乃至図３に示すように、上記固定手段２２は、シャフト２０を囲むようにして第２筒体１８内に固定された環状部材５０を有しており、該環状部材５０は、（図１及び図２における）上側に、当該環状部材の円周方向でほぼ１８０°の間隔をあけて設けられた第１傾斜面５２及び第２傾斜面５４を有している。更に、固定手段２２は、第２筒体１８の上端においてシャフト２０に固定された筒状支持部材５６を有しており、該支持部材５６には上記第１及び第２傾斜面５２，５４に対応する位置にネジ穴５６−１，５６−２が形成され、該ネジ穴には、角度位置調節部材５８、固定部材６０がネジ係合され、それぞれ、球体６２，６４を介して上記第１及び第２傾斜面５２、５４に係合するようになっている。図１において参照番号６６は、第２筒体１８の端部を閉じる蓋部材を示す。
【００１４】
シャフト２０に対する第２筒体１８の軸線の周りでの角度位置を調節するには、まず、角度位置調節部材５８をその軸線の周りで回転し、同軸線方向での位置を決め、該角度位置調節部材５８の先端にある球体６２に上記第１傾斜面５２が係合するように、当該第２筒体を回動し、同第２筒体の角度位置を決める。次に、固定部材６０をその軸線を中心に回転することにより、同固定部材の先端にある球体６４を上記第２傾斜面５４に押し付けることにより、該球体６４と球体６２との間で、当該環状部材を固定保持し、シャフト２０に対して第２筒体を固定する。
【図面の簡単な説明】
【００１５】
【図１】本発明に係るドア用ヒンジの縦断側面図である。
【図２】図２は、図３のII-II線断面図である。
【図３】同ドア用ヒンジの上端面図である。
【図４】図１のドア用ヒンジのシャフト角度位置保持手段の横断面図であり、ドアが閉じているときの状態を示す。
【図５】同横断面図で、ドアが９０°開いたときの状態を示す。
【符号の説明】
【００１６】
１０        ドア用ヒンジ
１２        第１羽根
１４        第１筒体
１６        第２羽根
１８        第２筒体
２０        シャフト
２０−１    外周面
２２        固定手段
２４        シャフト角度位置保持手段
３０        中間筒体
３４        ローラ
３６        ローラ保持体
３８        第１円弧状凹部
４０        第２円弧状凹部
４２        第３円弧状凹部
４４        ローラ収容凹部
４６        ローラガイド凹部
５０        環状部材
５２        第１傾斜面
５４        第２傾斜面
５６        筒状支持部材
５６−１    ネジ穴
５６−２    ネジ穴
５８        角度位置調節部材
６０        固定部材
６２，６４  球体
６６        蓋部材
Ｓ          スプライン結合
【図１】
2005127013.tif 000003
【図２】
2005127013.tif 000004
【図３】
2005127013.tif 000005
【図４】
2005127013.tif 000006
【図５】
2005127013.tif 000007